(57)【要約】【課題】ドラム内壁面に、脱水後の洗濯物が張り付いたまま乾燥されることがなくて、しわの発生を抑え仕上がり良好な乾燥を効率良く行なえるようにする。【解決手段】脱水および乾燥運転を続けて実施可能としたものにおいて、ドラム２３を構成し多数の透孔２５ａを有する胴部２５に、一部無孔壁部２５ｃを設け、且つこの無孔壁部２５ｃを胴部２５の内壁面より内方に突出した形態の構成とする。【選択図】　図１
2004105250.tif 000002
【特許請求の範囲】
【請求項１】
外郭を形成する筐体と、この筐体の内部に弾性支持した水槽と、この水槽の内部に横軸周りに回転可能に配設したドラムと、このドラム内に温風を供給する温風供給手段とを備え、前記ドラムは、その円筒状の胴部の略全体に多数の透孔を有するとともに複数のバッフルを有する構成とし、少なくとも脱水および乾燥運転を続けて運転可能としたものにおいて、
前記ドラムの胴部のバッフル間に位置して一部無孔壁部を設け、該無孔壁部は円筒状内壁面に対し内方に突出する形態としたことを特徴とするドラム式洗濯乾燥機。
【請求項２】
無孔壁部は、山形状に突出するとともに、脱水回転方向側の面を短辺とし、反回転方向側の面を長辺としたことを特徴とする請求項１記載のドラム式洗濯乾燥機。
【請求項３】
無孔壁部は、その表面に複数のビードを突設したことを特徴とする請求項１または２記載のドラム式洗濯乾燥機。
【請求項４】
無孔壁部は、ドラム胴部とは別部材で構成したことを特徴とする請求項１ないし３のいずれかに記載のドラム式洗濯乾燥機。
【発明の詳細な説明】
【０００１】
【発明の属する技術分野】
本発明は、周壁に多数の透孔を設けた横軸周りに回転するドラム内に、洗濯物を収容して洗濯および乾燥を可能としたドラム式洗濯乾燥機に関する。
【０００２】
【従来の技術】
従来より、この種ドラム式洗濯乾燥機は、一般的に外郭を形成する筐体内に貯水可能な水槽を弾性支持し、この水槽の内部には横軸周りに回転可能なドラムが設けられ、該ドラムは前記水槽の後面に装着されたモータにより回転駆動される構成としている。
そして、前記ドラムの構成としては、例えば図１４に示すようにドラム１は円筒状の胴部２全体に多数の透孔３を設け、且つ例えば周長の略３等分した位置に３個の撹拌羽根、所謂バッフル４を設けた構成としている。
【０００３】
しかして、上記構成のドラム１に洗濯物を収容し所定水量給水した後、図示しないモータにより回転駆動し、夫々洗い，脱水，乾燥等の行程に応じた回転速度で制御して自動的に運転できるようにしている。例えば、洗い（含むすすぎ）行程では、ドラム１が低速回転されるに伴ない洗濯物がバッフル４にて掻き上げられ、上部に至り落下する動作が繰り返され所謂たたき洗いが実行される。
【０００４】
そして、脱水行程では後の乾燥運転を効率良く行なうために、洗濯物からできるだけ水分を抽出すべくドラム１を最も高速度で回転し、即ち遠心脱水するようにしている。続く乾燥行程では、ドラム１は最も低速度で回転せられ、且つ温風供給手段から水槽（いずれも図示せず）内に供給された温風を、ドラム１内の洗濯物と接触させ乾燥するようにしている。
【０００５】
このようにドラム１の透孔２は、該ドラム１に対して洗いとか脱水運転では水の供給および排出を容易に可能とし、乾燥運転では温風の出入を容易に可能とすべく、ドラム１の周壁全体に亘り多数形成している。また、上記のようにドラム式洗濯乾燥機では、全ての各行程をドラム１を回転させることにより行なうとともに、そのうちドラム１が高速回転される脱水行程に続いて、低速回転による乾燥行程が行なわれる。
【０００６】
この場合、脱水運転における洗濯物（図示せず）は、遠心作用を受けてドラム１の特に胴部２の内壁面に押し付けられ、且つ遠心放出される水は透孔２から放出されるが、その水の流出する勢いも受けて該洗濯物は透孔２を有する内壁面に密着した張り付いた状態となる。
従って、このような脱水行程に続いて乾燥行程に移行すると、洗濯物が張り付いた状態のまま乾燥作用が進み、結果頑固なしわが多く生じて乾燥後の仕上がり状態は悪いものとなる。
【０００７】
その対策として、例えば乾燥行程の直前における所謂最終脱水において、ドラムを低回転速度で運転し、洗濯物への遠心作用を小さくして上記張り付け現象を抑える手段も考えられる。しかしながら、この手段では脱水性能の低下は否めず、当然乾燥前の洗濯物の状態としても好ましくなく、実用に不適である。
そこで、従来では最終脱水を行なう前に、ドラムの回転数が順次高くなる予備脱水なる行程を複数回（例えば３回）行なうことが考えられている（特許文献１参照）。
斯かる制御手段によれば、複数回の予備脱水（停止）ごとに、洗濯物をドラムの内壁面から剥離するとともに、洗濯物の含水率を徐々に低減することで、脱水終了時には洗濯物が簡単に剥離して、その後の乾燥行程で、しわがなくふんわりとした乾燥ができると云うものである。
【０００８】
【特許文献１】
特開平１０−２３５０６８号公報（第５，６頁、第５，６図）
【０００９】
【発明が解決しようとする課題】
しかしながら、上記特許文献１に記載の如く異なる回転速度での予備脱水を複数回行なう動作を付加することは、単に最終脱水を行なう場合に比して何倍もの脱水時間を要し、以って１回の洗濯作業に長時間を費やすこととなり時間の無駄となる。しかも、所定の脱水性能を確保しながら洗濯物を剥離できるように回転制御をするには、実際には洗濯物量に応じた種々の回転速度、或は時間設定をするなどして運転制御せねばならず制御が複雑化するなどの問題を有する。
【００１０】
本発明は上述の事情に鑑みてなされたものであり、従ってその目的は、乾燥運転時に洗濯物がドラムへの張り付け状態から解放されて、しわの少ない仕上がり良好な乾燥を効率良く行なえるようにしたドラム式洗濯乾燥機を提供するにある。
【００１１】
【課題を解決するための手段】
上記目的を達成するために、本発明のドラム式洗濯乾燥機は、外郭を形成する筐体と、この筐体の内部に弾性支持した水槽と、この水槽の内部に横軸周りに回転可能に配設したドラムと、このドラム内に温風を供給する温風供給手段とを備え、前記ドラムは、その円筒状の胴部の略全体に多数の透孔を有するとともに複数のバッフルを有する構成とし、少なくとも脱水および乾燥運転を続けて運転可能としたものにおいて、前記ドラムの胴部のバッフル間に位置して一部無孔壁部を設け、該無孔壁部は円筒状内壁面に対し内方に突出する形態としたことを特徴とする（請求項１の発明）。
【００１２】
斯かる構成によれば、乾燥前の脱水運転の際、洗濯物は遠心作用により全体的にはドラム内壁面に押し付けられた状態になるが、無孔壁部に位置する洗濯物の一部は、密着方向への押圧作用が弱く内壁面に密着した張り付き状態に至らない。従って、この状態のまま乾燥運転を開始しても、ドラムの低速回転に伴ない無孔壁部に位置する洗濯物が上方位置に達すると、その重量により簡単に剥がれるように落下し、この落下に伴ない他の部位の張り付いた状態の洗濯物に対し衝撃を与え密着状態から解放させ順次拡大する。
【００１３】
この結果、乾燥運転の初期に洗濯物の張り付き状態は速やかに解消され、張り付いたまま乾燥されることによる強力なしわは発生せず、運転初期より良好な撹拌作用を得て乾燥むらもなく、洗濯物をふんわりとした仕上がり状態の良い乾燥ができる。また、胴部の一部を無孔壁部とした程度では、脱水性能に大きく影響を与えることもなく、所期の脱水性能を維持できるとともに、従来の如き複雑な回転制御等をも不要で簡易な構成にて提供できる。
【００１４】
そして、請求項１記載のものにおいて、無孔壁部は、山形状に突出するとともに、脱水回転方向側の面を短辺とし、反回転方向側の面を長辺としたことを特徴とする（請求項２の発明）。
【００１５】
斯かる構成によれば、無孔壁部を山形状に突出した形態としたことにより、洗濯物から抽出された水が速やかに流下し、特には洗濯物から抽出された多くの水を長辺側の面上で受け、これを遠心脱水の放出方向である後方（反回転方向）に向って速やかに流すことができ、以って水が滞ることなく脱水性能を良好に維持できる点で有効である。
【００１６】
また、請求項１または２記載のものにおいて、無孔壁部は、その表面に複数のビードを突設したことを特徴とする（請求項３の発明）。
【００１７】
斯かる構成によれば、脱水運転時に無孔壁部の面上に洗濯物が密着するのを確実に阻止でき、従って各ビード間が水路のガイドとして機能し、抽出された水は速やかに流れ透孔部位から放出されて脱水性能の向上を図り得、且つ内壁面への張り付き現象を一層確実に防止できて、しわのないふんわりとした仕上がり良好な乾燥効果が得られる。
【００１８】
また、請求項１ないし３のいずれかに記載のものにおいて、無孔壁部は、ドラム胴部とは別部材で構成したことを特徴とする（請求項４の発明）。
【００１９】
斯かる構成によれば、例えば容量等が異なる各種のドラムに対して共通に使用したり、或は大きさや形状等に制約を受けることなく設計製作の自由度が広がり、最適の形態とする無孔壁部を形成するに好都合である。
【００２０】
【発明の実施の形態】
（第１の実施の形態）
以下、本発明のドラム式洗濯乾燥機の第１実施例を示す、図１ないし図５を参照して説明する。
ぞのうちの図１ないし図３において、まず図１に基づき洗濯乾燥機全体の概略構成につき述べると、外郭を形成する筐体１１の前面部の上部には、各種の運転コース等を設定操作するためのキースイッチ（図示せず）等を有する操作パネル１２を配設するとともに、その内方には、洗いや乾燥運転の全般を制御すべくマイクロコンピュータ等からなる制御装置１３が設けられている。そして、前面部の略中央部には洗濯物を出し入れする開口部１１ａを開閉する扉１４が、図示しないヒンジ部を介して回動可能に設けられている。
【００２１】
しかして、筐体１１の内部には、貯水可能とする前面に開口部１５ａを有する円筒状の水槽１５が配設され、複数のサスペンション１６（１個のみ図示）を介して弾性支持されている。この水槽１５は、横軸型で且つやゝ前上がりの傾斜状態に支持されるとともに、前記開口部１５ａと筐体１１の開口部１１ａとの間にはベロー１７が設けられ水密に連結されている。
【００２２】
一方、水槽１５の底部には一部下方に膨出した凹陥部１８が形成され、その内部に洗濯水を加温するためのシーズヒータからなる温水ヒータ１９が配設されている。そして、この凹陥部１８の最低部位には図示しないが排水口が設けられ、これに連接して排水弁２０が設けられており、該排水弁２０は凹陥部１８の外底面に取り付けられたギヤドモータからなる排水弁モータ２１により開閉動作が制御される。この排水弁２０の出口側には蛇腹状の屈曲自在な排水ホース２２が接続され、その先端部は機外に導出されている。
【００２３】
このような、水槽１５の内部には、同じく円筒状のドラム２３が回転可能で横軸形に軸支され配設されている。このドラム２３を構成する前面部２４には、大きな開口部２４ａが形成され、また周壁たる胴部２５および後面部２６には通水兼通風用の多数の透孔２５ａ，２６ａを有するとともに、胴部２５には洗濯物を掻き上げるための３個のバッフル２５ｂ（２個のみ図示）を内方に突設している。そして、このドラム２３は、その後面部２６の中央において、前記水槽１５に回転可能に軸支されている。
【００２４】
その軸支構成は、水槽１５の後面部中央に軸受ハウジング２７が設けられていて、この軸受ハウジング２７内に回転軸２８を配した例えばアウターロータ形のブラシレスモータからなるモータ２９を装着している。しかして、前記ドラム２３の後面部２６は、上記回転軸２８に直結されて軸支され、モータ２９によりドラム２３を直接回転駆動可能な構成としている。
【００２５】
更に、上記ドラム２３の構成につき、図２および図３を参照して説明する。　　即ち、図２は前記した前面部２４を除いて示すドラム２３の斜視図、および図３は図２のＡ−Ａ線に沿って切断して拡大して示す断面図で、前記した３個のバッフル２５ｂが円筒状胴部２５の周方向に３等配した位置に設けられており、そのうちの２つのバッフル２５ｂ間に位置して一部に透孔２５ａを有しない無孔壁部２５ｃを形成している。
【００２６】
この無孔壁部２５ｃは、胴部２５を横切る方向（軸方向）に所定の面積を確保すべく帯状に延設されるとともに、少なくとも胴部２５の円筒状内壁面より内方に突出した（図３に高さｈ１で示す）構成にあって、例えば本実施例ではバッフル２５ｂより幅広で且つ低い山形状の断面をなして内方に突出し、胴部２５と一体成形されている。
因みに、無孔壁部２５ｃは所定の面積を確保すべく、例えば突出高さｈ１は、通常ドラム２３の直径の約１／５０以上で、幅はドラム２３周長の約１／６〜１／８に設定するのが望ましい。
【００２７】
そしてまた、図１において前記水槽１５の前面から後面の外側を取り巻くようにして、ドラム２３内に温風を循環供給する循環送風路３０を形成している。この循環送風路３０は、一端は水槽１５の後面部に連通し、途中に除湿器３１および温風供給手段３２を経て、水槽１５の前面開口部１５ａに連通接続した構成としている。
【００２８】
そのうちの除湿器３１の概略構成につき述べると、これは全体に中空状をなして前記循環送風路３０の一部を兼ねた構成とし、下端部において水槽１５を通してドラム２３内の空気を取り込み、該空気が下部から上方へと移動する間に、図示しない水冷手段として上部から水を注ぎ入れることによって、その空気中から水分を冷却し凝縮させて除湿する機能を有するもので、凝縮された水分は排水弁２０を経て排水ホース２２から機外に排出されるようにしている。
【００２９】
一方、温風供給手段３２にあっては、上記除湿器３１の下流側に配設され図中矢印方向に送風作用をなす送風ファン３３ａおよびファンモータ３３ｂ等からなる送風機３３と、この送風機３３から送られてきた空気を加熱するヒータ装置３４とから構成され、この温風供給手段３２は上記除湿器３１にて除湿された空気を加熱温風化し、その温風は循環送風路３０を経て水槽１５およびドラム２３の各開口部１５ａおよび２３ａを通して供給される。
【００３０】
従って、斯かる構成からなる循環送風路３０によれば、乾燥運転時において送風機３３による矢印方向の送風作用を受けて、例えば湿気を帯びたドラム２３内の空気が、水槽１５を通して除湿器３１内に取り込まれると、ここで冷却除湿され、その空気はヒータ装置３４に送られて加熱温風化され、温風は水槽１５およびドラム２３内に供給される。そして、図示しない洗濯物の乾燥に寄与した後の温風は湿気を帯びているので、再び上記除湿器３１に吸入されて除湿され、温風供給手段３２を通して改めて再生された温風がドラム２３内に繰り返し供給され、所謂温風循環により乾燥運転が進められる。
【００３１】
次に、上記構成の作用につき述べる。
ドラム式洗濯乾燥機としては、種々の運転コースを選択的に実行可能としているが、特に本発明に関連する運転コースの一例につき説明すると、通常、周知のように「洗い」・「すすぎ」・「（最終）脱水」行程を自動的に実行するとともに、続いて「乾燥」行程まで自動的に進行する運転コースを備えているが、或は上記「（最終）脱水」行程を終えて一旦休止した後、「乾燥」行程を手動操作してスタートさせることも可能であり、要は脱水を終えた状態のまま乾燥運転を開始する運転態様につき説明する。
【００３２】
しかるに、通常に行なわれる「洗い」および「すすぎ」行程では、洗濯水を水槽１５内に供給した状態でドラム２３を低速回転させ、図示しない洗濯物をバッフル２３ｂにて掻き上げては落下させる所謂たたき洗い動作にて実行するものであり、一方「脱水」行程ではドラム２３を高速回転させ洗濯物から遠心脱水を行なう。従って、最終脱水された状態の洗濯物は、遠心作用を受けてドラム２３の内壁面に密着した張り付け状態にある。特には、胴部２５の各バッフル２５ｂ間における透孔２５ａが多数形成された内壁面は平滑な面状にあって、該透孔２５ａから遠心作用を受けた水が放出される際に、洗濯物は内壁面の全周に押し付けられ所謂張り付いた状態となり、しかもその遠心力は大きくてドラム２３が停止した後も、張り付いた状態のままに保持される。
【００３３】
ところが、本実施例では胴部２５の一部に無孔壁部２５ｃを形成し、且つ断面山形状に内方に突出する形態としているため、この無孔部分には上記のような透孔２５ａを貫通して勢いよく流出する方向の水の流れがなくなる。このことから、該無孔壁部２５ｃに向う水の流れは弱くなり、図示しない洗濯物を内壁面に押し付ける力は弱くなり、強く密着状態には至らない。
このため、無孔壁部２５ｃに対応する位置の洗濯物は、水の流出による押圧作用が緩和された状態となり、内壁面に強力に密着した張り付け状態を回避しながら遠心脱水されることになる。
【００３４】
そして、上記脱水終了に続いて「乾燥」行程に移行すると、ドラム２３は低速回転されるとともに、前記温風供給手段３２から温風が供給され、循環送風路３０および水槽１５を介した温風循環が実行され、洗濯物の乾燥が行なわれる。しかるに、この低速回転に伴ない遠心作用は少ないものの、洗濯物が張り付いた部分では、通常そのまま密着状態に保持されて進行するのに対し、無孔壁部２５ｃに対応した洗濯物（一部）は上方位置に達すると、これが内壁面から容易に剥がれるように落下する。
【００３５】
この一部の剥がれた洗濯物が、下方に位置する緊張して張り付いた状態にある洗濯物上に落下することにより、その衝撃により内壁面と密着した張り付き状態から解放する。そして、このような剥がれ現象が続いて行なわれ拡大するとともに、剥がれた洗濯物はバッフル２５ｂによる掻き上げ作用を受けて、洗濯物を満遍なく撹拌してドラム２３の内部全体に広げ、温風との接触を良好となした乾燥運転が実行される。
【００３６】
上記説明したように本実施例によれば、次の効果を有する。
ドラム２３を構成する多数の透孔２５ａを有する胴部２５に、一部無孔壁部２５ｃを設け且つこの無孔壁部２５ｃを山形状に内方に突出する形態とした。
これにより、脱水運転に続いて乾燥運転を行なう場合に、その脱水運転において洗濯物は遠心作用により全体的には胴部２５内壁面に押し付けられた状態にあるが、無孔壁部２５ｃに位置する洗濯物の一部は、密着方向への押圧作用が弱く内壁面に密着した張り付き状態に至らない。
【００３７】
従って、この状態のまま乾燥運転を開始しても、ドラム２３の低速回転に伴ない無孔壁部２５ｃに位置する洗濯物が上方位置に達すると、その重量により容易に落下する。この一部洗濯物の落下により、下方の緊張状態に張り付いている洗濯物に対し衝撃を与え密着状態から解放させる作用を発揮し、順次拡大していく。また、この洗濯物の落下に伴ない、その前後に連なる洗濯物も引っ張られるように剥がれ作用を受け、剥がれ部分は更に拡大する。
【００３８】
この結果、乾燥運転の初期に洗濯物の張り付き状態は速やかに解消され、張り付いたまま乾燥されることによる強力なしわは発生せず、運転初期より良好な撹拌作用を得て乾燥むらもなく、洗濯物をふんわりとした仕上がり状態の良好な乾燥ができる。
また、胴部２５の一部を無孔壁部２５ｃとした程度では、脱水性能に大きく影響を与えることもなく、従って脱水時間を特別な予備脱水を含む長時間設定とすることもなく所期の脱水性能を維持でき、或は複雑な回転制御等をも不要で簡易に実施できる利点は大きい。
【００３９】
（変形例）
図４および図５は、上記実施例の変形例を示したもので、このものは上記した山形状の無孔壁部２５ｃの表面に複数のビード３５を突設した点で異なるのみで、他は共通の構成にある。このビード３５は、軸方向と直交する方向であるドラム２３の回転方向に沿って延び並列配置された構成にあって、胴部２５と一体に成形されている。
斯かる構成によれば、無孔壁部２５ｃに複数のビード３５を突設したので、該無孔壁部２５ｃに洗濯物が密接状態となるのを防ぎ、脱水時の水の流れは各ビード３５間からスムースに通り抜けることで脱水性能の向上を図り、無孔壁部２５ｃを設けたことによる脱水性能の低下を抑えるのに有効である。
【００４０】
加えて、このビード３５の存在により洗濯物が無孔壁部２５ｃへの密着防止に有効であることから、この脱水運転から乾燥運転へと移行しても、該無孔壁部２５ｃに対応した洗濯物は一層剥がれ易くて、ドラム２３の低速回転に伴ない容易で確実に落下し、洗濯物全体を張り付け状態から速やかに解放することができ、従って効率良くしわの少ない仕上がり良好な乾燥作用が期待できる。
【００４１】
上記実施例に対し、図６〜図１３は本発明の第２および第３実施例を示したもので、上記第１実施例と同一部分には同一符号を付して説明を省略し、異なる部分についてのみ以下説明する。
【００４２】
（第２の実施の形態）
まず、図６，７は、本発明の第２実施例を示したもので、図６は図２相当図で、図７は図６のＣ−Ｃ断面を示す図３相当図である。
このものは、上記実施例とは無孔壁部の形態において異なるもので、ドラム３６を構成する円筒状の胴部３７には、一部を除く全面に多数の透孔３７ａと、複数のバッフル３７ｂと、一部に形成した無孔壁部３７ｃとを有し、このうち無孔壁部３７ｃについては、内方に断面山形状に高さｈ２突出した基本的形態であることは上記第１実施例と同じであるが、その山形を形成する両傾斜面の各辺の長さが異なる非対称とした構成にある。
即ち、上記無孔壁部３７ｃは、ドラム３６の脱水回転方向（図中矢印Ｎ方向）に面する側を短辺３８ａとし、反回転方向側を長辺３８ｂとして胴部３７と一体に形成され、従って突出高さｈ２を有する頂部から短辺３８ａ側は急斜面となし、反対に長辺３８ｂ側は広い緩斜面を形成する。
【００４３】
斯かる構成によれば、乾燥運転では洗濯物を内壁面への張り付き状態から速やかに解放して、しわの少ない乾燥ができるとする上記第１実施例と同様の作用効果を有する上に、無孔壁部３７ｃを非対称の短辺３８ａ，長辺３８ｂとした山形状に形成したので、脱水運転時に遠心抽出された水が該無孔壁部３７ｃから速やかに流下するもので、特に脱水時における放水方向は図７中の矢印で示す傾向にあって相対的に後方（反矢印Ｎ方向）に流れることから、この放水方向に沿って主に上記長辺３８ｂ側の広い緩斜面上を後方に速やかに流れることになる。
【００４４】
従って、無孔壁部３７ｃに対応する部分における洗濯物から抽出された水の多くは長辺３８ｂ側の広い面で受け止められ、且つこれを傾斜面に沿って遠心作用も受けつつ後方に向って速やかに流下させることができ、無孔壁部３７ｃを設けたことによる脱水性能の低下を抑制するのに一層有効である。尚、遠心放出される水の流れとは逆方向となる短辺３８ａ側では、面積が狭いので受ける水も少なくて且つ急斜面に形成されるため、水は滞ることなく速やかに流下して透孔３７ａから外方へ放出され、やはりこの短辺３８ａ側の面にあっても脱水性能の低下には至らない。
【００４５】
（変形例）
図８，図９、および図１０ないし図１２は、上記実施例に対し夫々異なる変形例を示したもので、まず図８，９に示す変形例につき説明する。
このものは、ドラム３９の胴部４０とは別部材からなる無孔壁部４１を構成するとともに、その突出する山形の形状を流線形としたものであるが、基本的には上記実施例と同様に矢印Ｎで示す脱水回転方向側を短辺４２ａとし、反回転方向側を長辺４２ｂとし、突出高さｈ２の頂部を中心に左右非対称とする山形状をなしたものである。
【００４６】
即ち、無孔壁部４１は例えば耐熱性のプラスチック材にて成形され、内部に形成された複数のボス部４１ｃに胴部４０の外方からネジ４２を締付けることで取付固定している。従って、この変形例の場合、胴部４０のうち無孔壁部４１で覆われる一部は、作用効果上特に透孔４０ａの有無には関係ない構成となる。
このように流線形状の無孔壁部４１の構成にあっても、上記実施例と同様に内壁面への洗濯物の張り付け状態を回避し得る作用効果を期待できることは容易に理解できる。
【００４７】
ところで、無孔壁部４１は低く突出したものであるが、各バッフル４０ａ間の平滑な面上に突出しており、該無孔壁部４１と洗濯物との接触頻度は当然高くなる。しかしながら、斯かる無孔壁部４１は滑らかな流線形状となして突出する山形状にしたので、洗いから乾燥に至るまでの洗濯物と該無孔壁部４１との接触に対して所謂布傷み現象を抑えるに有効である。
また、無孔壁部４１を別部材としたので、例えば洗濯物容量が異なる各種のドラムに対して共通に使用したり、或は大きさや形状等において設計製作上の制約を受けることなく最適の形態の無孔壁部を形成するに好都合である。
但し、この無孔壁部４１にあっても上記実施例の如く胴部４０と一体に形成することも容易に可能であることは云うまでもない。
【００４８】
次いで、図１０ないし図１２に示す他の変形例につき説明する。
即ち、図１０は図２相当図で、図１１は図１０のＥ−Ｅ断面を示す図３相当図、および図１２は要部の平面図を示したもので、このものは胴部４０とは別部材からなる断面山形状の無孔壁部４３を備え、その表面には回転方向に延びる複数のビード４４ａ，４４ｂを突設したものである。具体的には、この無孔壁部４３も矢印Ｎで示す回転方向側の面を短辺４５ａとし、反回転方向側を長辺４５ｂとした非対称構成にあって、その短辺４５ａ側の急斜面には短いビード４４ａを、また長辺４５ｂ側の広い緩斜面には長いビード４４ｂを夫々突設している。
そして、無孔壁部４３の裏面側に形成された複数のボス部４４ｃに、胴部４０を介してネジ４２を締付けドラム３９に取付固定されている。
【００４９】
しかして、斯かる構成によれば、乾燥前の脱水運転に際して、無孔壁部４３の長辺４５ｂとなす広い緩斜面にて遠心抽出された水を受け止め且つ後方（反矢印Ｎ方向）へ流すとともに、表面のビード４４ｂ間を水路としてスムースに流れる上に洗濯物が密着するのを防止できるなどに基づき、洗濯物がドラム３９の内壁面に張り付く現象をなくすことができる。従って、この脱水運転に続いて乾燥運転が開始されると、無孔壁部４３に位置する洗濯物の部分から落下して剥がれ、他の部位の張り付け状態にある洗濯物も速やかに剥がすことができ、乾燥むらがなくふんわりとした仕上がり良好な乾燥が期待できる。
【００５０】
（第３の実施の形態）
次いで、図１３は本発明の第３実施例を示すドラム４５の断面図で、これは胴部４６のバッフル４６ｂ間に平坦状の無孔壁部４６ｃを形成したものである。しかしながら、斯かる構成の無孔壁部４６ｃにあっても、ドラム４５の胴部４６の内壁面に対し、内方に高さｈ３突出した構成にある。従って、この平坦な無孔壁部４６ｃにおいて洗濯物から抽出された水が滞ることなく流れて、周りの透孔４６ａから遠心放出され正常な脱水作用を行なうことができる。
【００５１】
しかも、この実施例でも無孔壁部４６ｃの表面に、回転方向に延びる複数のビード４７を突設して、遠心抽出された水の流れを良くし且つ洗濯物の密着を防止するに有効な構成としており、脱水から乾燥運転に至り洗濯物が張り付いた状態のまま乾燥されることはなく、以ってしわを抑えた仕上がり良好な乾燥効果が期待できる。
【００５２】
尚、本発明は上記し且つ図面に示した実施例に限らず、例えば無孔壁部はドラムと一体或は別部材を問わず複数個所に設けても良く、特にドラムの回転中心に対して対称位置とする２個所に設けて回転バランスを良好とする配置構成や、その他、各実施例を適宜組み合わせて実施したり、温風供給手段は温風循環する構成に限らず温風を生成しドラム内に供給可能な構成であれば良いなど、本発明の要旨を逸脱しない範囲内にて適宜変更して実施できるものである。
【００５３】
【発明の効果】
以上述べたことから明らかなように、本発明のドラム式洗濯乾燥機は、脱水および乾燥運転を続けて実施可能としたものにおいて、ドラムを構成する多数の透孔を有する胴部に、一部無孔壁部を設けるとともに、この無孔壁部をドラム内壁面より内方に突出する形態とした。
これにより、乾燥前の脱水運転において洗濯物は遠心作用により全体的には胴部内壁面に押し付けられた状態にあるが、無孔壁部に位置する洗濯物の一部は、密着方向への押圧作用が弱く内壁面に密着した張り付き状態に至らない。
【００５４】
従って、この状態のまま乾燥運転が開始されても、無孔壁部に位置する洗濯物は、その重量により容易に剥がれるように落下し、この一部洗濯物の落下により他の部位の洗濯物に対し密着した張り付け状態から順次解放する。
この結果、乾燥運転の初期に洗濯物の張り付き状態は速やかに解消され、張り付いたまま乾燥されることによる強力なしわは発生せず、運転初期より良好な撹拌作用を得て乾燥むらもなく、ふんわりとした仕上がりの良い乾燥が効率良く実行できるなど、実用性に富んだドラム式洗濯乾燥機を提供できる。
【図面の簡単な説明】
【図１】本発明の第１実施例であるドラム式洗濯乾燥機の全体構成を示す縦断側面図
【図２】ドラムの要部を示す斜視図
【図３】図２のＡ−Ａ線に沿って切断して示す断面図
【図４】変形例を示す図２相当図
【図５】図４のＢ−Ｂ断面を示す図３相当図
【図６】本発明の第２実施例を示す図２相当図
【図７】図６のＣ−Ｃ断面を示す図３相当図
【図８】変形例を示す図２相当図
【図９】図８のＤ−Ｄ断面を示す図３相当図
【図１０】他の変形例を示す図２相当図
【図１１】図１０のＥ−Ｅ断面を示す図３相当図
【図１２】要部の平面図
【図１３】本発明の第３実施例を示すドラムの断面図
【図１４】従来例を示す図１３相当図
【符号の説明】
１１は筐体、１５は水槽、２３，３６，３９，４５はドラム、２５，３７，４０，４６は胴部、２５ａ，３７ａ，４０ａ，４６ａは透孔、２５ｂ，３７ｂ，４０ｂ，４６ｂはバッフル、２５ｃ，３７ｃ，４１，４３，４６ｃは無孔壁部、３２は温風供給手段、３５，４４ａ，４４ｂ，４７はビード、３８ａ，４２ａ，４５ａは短辺、および３８ｂ，４２ｂ，４５ｂは長辺を示す。
【図１】
2004105250.tif 000003
【図２】
2004105250.tif 000004
【図３】
2004105250.tif 000005
【図４】
2004105250.tif 000006
【図５】
2004105250.tif 000007
【図６】
2004105250.tif 000008
【図７】
2004105250.tif 000009
【図８】
2004105250.tif 000010
【図９】
2004105250.tif 000011
【図１０】
2004105250.tif 000012
【図１１】
2004105250.tif 000013
【図１２】
2004105250.tif 000014
【図１３】
2004105250.tif 000015
【図１４】
2004105250.tif 000016